(57)【特許請求の範囲】
【請求項１】
ウェブページを表示するための表示部と、
前記ウェブページにおけるリンクが設定されている表示対象の表示位置を示すウェブページ定義情報を取得する情報取得部と、
前記ウェブページ定義情報から、前記表示対象のリンク用表示対象リストを生成するリスト生成部と、
前記表示部に表示領域を生成し、前記リンク用表示対象リストを当該表示領域に表示させる表示制御部とを備え、
前記リンク用表示対象リストは、リンクが設定されている表示対象であって、前記ウェブページのうち前記表示部に表示されていない部分に設定されている表示対象を集めたものを含む
ことを特徴とする表示装置。
【請求項２】
ウェブページ間を遷移する操作を受け付ける第１の受付部を備え、
前記表示制御部は、リンク先のウェブページへ遷移する操作と当該操作の後に再びリンク元のウェブページへ遷移する操作との組を所定の時間内に所定の回数以上前記受付部が受け付けたことを条件として、前記表示領域に前記リンク用表示対象リストを表示させる
ことを特徴とする請求項１に記載の表示装置。
【請求項３】
ウェブページを表示するための表示部と、
前記ウェブページにおけるリンクが設定されている表示対象の表示位置を示すウェブページ定義情報を取得する情報取得部と、
前記ウェブページ定義情報から、前記表示対象のリンク用表示対象リストを生成するリスト生成部と、
前記表示部に表示領域を生成し、前記リンク用表示対象リストを当該表示領域に表示させる表示制御部と
ウェブページをスクロールする操作を受け付ける第２の受付部とを備え、
前記表示制御部は、所定の時間内に所定の行数以上ウェブページをスクロールする操作を前記受付部が受け付けたことを条件として、前記表示領域に前記リンク用表示対象リストを表示させる
ことを特徴とする表示装置。
【請求項４】
前記表示制御部は、ウェブページ間を遷移する操作を所定の時間内に所定の回数以下しか前記受付部が受け付けなかったことを条件として、前記表示領域を消去する
ことを特徴とする請求項２又は３に記載の表示装置。
【請求項５】
ウェブページを表示するための表示部と、
前記ウェブページにおけるリンクが設定されている表示対象の表示位置を示すウェブページ定義情報を取得する情報取得部と、
前記ウェブページ定義情報からリンクが設定されている表示対象のリンク用表示対象リストを生成するリスト生成部と、
前記表示部に表示領域を生成し、前記リンク用表示対象リストを当該表示領域に表示させ、リンク先のウェブページへ遷移する操作を前記受付部が受け付けた場合に、リンク元のウェブページから生成した前記リンク用表示対象リストを前記表示領域に表示させる表示制御部とを備え、
前記リンク用表示対象リストは、リンクが設定されている表示対象であって、前記ウェブページのうち前記表示部に表示されていない部分に設定されている表示対象を集めたものを含む
ことを特徴とする表示装置。
【請求項６】
所定の語句を記憶する記憶部を備え、
前記リスト生成部は、リンクが設定されている表示対象のうち、前記記憶部に記憶された所定の語句を含む表示対象を抽出して前記リンク用表示対象リストを生成する
ことを特徴とする請求項４または請求項５のいずれか一項に記載の表示装置。
【請求項７】
前記リスト生成部は、リンクが設定されている表示対象のうち、表示文字サイズが所定のサイズ以上の表示対象を抽出して前記リンク用表示対象リストを生成する
ことを特徴とする請求項４または請求項５のいずれか一項に記載の表示装置。
【請求項８】
請求項１から請求項７のいずれか一項に記載の表示装置を備える
ことを特徴とする携帯端末。
【請求項９】
表示部と、情報取得部と、リスト生成部と、表示制御部とを備える表示装置における表示方法であって、
前記表示装置の表示部が、ウェブページを表示するための表示ステップと、
前記表示装置の情報取得部が、前記ウェブページにおけるリンクが設定されている表示対象の表示位置を示すウェブページ定義情報を取得する情報取得ステップと、
前記表示装置のリスト生成部が、前記ウェブページ定義情報から、前記表示対象のリンク用表示対象リストを生成するリスト生成ステップと、
前記表示装置の表示制御部が、前記表示部に表示領域を生成し、前記リンク用表示対象リストを当該表示領域に表示させる表示制御ステップとを含み、
前記リンク用表示対象リストは、リンクが設定されている表示対象であって、前記ウェブページのうち前記表示部に表示されていない部分に設定されている表示対象を集めたものを含む
ことを特徴とする表示方法。
【請求項１０】
請求項９に記載した表示方法を前記表示装置におけるコンピュータに実行させるための表示プログラム。
【請求項１１】
ウェブページを表示するための表示部と、
前記ウェブページにおけるリンクが設定されている表示対象の表示位置を示すウェブページ定義情報を取得する情報取得部と、
前記ウェブページ定義情報から、前記表示対象のリンク用表示対象リストを生成するリスト生成部と、
前記表示部に表示領域を生成し、前記リンク用表示対象リストを当該表示領域に表示させる表示制御部と、
ウェブページ間を遷移する操作を受け付ける第１の受付部とを備え、
前記表示制御部は、リンク先のウェブページへ遷移する操作と当該操作の後に再びリンク元のウェブページへ遷移する操作との組を所定の時間内に所定の回数以上前記受付部が受け付けたことを条件として、前記表示領域に前記リンク用表示対象リストを表示させる
ことを特徴とする表示装置。
【発明の詳細な説明】
【技術分野】
【０００１】
本発明は、ウェブページを表示する表示装置、この表示装置を備えた携帯端末およびウェブページを表示する表示方法および表示プログラムに関し、特に、ウェブページを表示するに際して、画面に表示されないウェブページの部分の情報の視認性の改善に関する。
【背景技術】
【０００２】
近年、携帯端末においてウェブページを閲覧する機会が増えてきている。携帯端末は、十分な表示領域を持たないことが多いため、ウェブページに記述された文章や画像を表示するために様々な技術が提案されている。
例えば、表示領域の範囲内に文章や画像を収めるために、ウェブページに記述された文章に対して表示領域に収まる文字数ごとに改行を挿入したり、画像の解像度を低く変更したりする技術がある（例えば、特許文献１参照）
【先行技術文献】
【特許文献】
【０００３】
【特許文献１】特開２００３−３１１００６号公報
【発明の概要】
【発明が解決しようとする課題】
【０００４】
ニュース記事を集めたポータルサイト等では、記事のタイトルとその記事の冒頭部分の文章の組が多く掲載される。記事のタイトルには、記事の続きの文章が記載されたウェブページへ遷移するためのリンクが設定されている。ユーザは、通常、興味のある記事のみを閲覧しようとするため、まず、このリンクが設定されたタイトルを拾い読みするという行動をとる。
【０００５】
表示領域が限られた状況においては、これらのタイトルのすべてが表示領域に表示されているわけではないため、このようなウェブページを閲覧する際、ユーザは、ウェブページをスクロールする操作をして所望の記事のタイトルを探す必要があり、手間がかかるという問題がある。
特許文献１に開示された技術では、ウェブページに記述された文章や画像を画面から切れないように表示することはできるが、上述した問題を解決することはできない。
【０００６】
そこで、本発明は、係る問題に鑑みてなされたものであり、所望のウェブページへ遷移する操作の手間を軽減することができる表示装置を提供することを目的とする。
【課題を解決するための手段】
【０００７】
上記課題を解決するために、本発明に係る表示装置は、ウェブページを表示するための表示部と、前記ウェブページにおけるリンクが設定されている表示対象の表示位置を示すウェブページ定義情報を取得する情報取得部と、前記ウェブページ定義情報から、前記表示対象のリンク用表示対象リストを生成するリスト生成部と、前記表示部に表示領域を生成し、前記リンク用表示対象リストを当該表示領域に表示させる表示制御部と、を備えることを特徴とする。
【発明の効果】
【０００８】
上記構成を備える本発明に係る表示装置によれば、所望のウェブページへ遷移する操作の手間を軽減することができる。
【図面の簡単な説明】
【０００９】
【図１】実施の形態に係る携帯電話機の機能構成図である。
【図２】表示装置１が表示するウェブページの一例を示す図である。
【図３】表示装置１の表示部１３における第２表示領域１０２の一例を示す図である。
【図４】表示装置１が表示するウェブページのＨＴＭＬ情報５０の一例を示す図である。
【図５】表示装置１の表示制御部１７がＨＴＭＬ情報５０の構文解析の結果生成する表示位置関係情報５１の一例を示す図である。
【図６】表示装置１のリスト生成部１９が生成するリンク用表示対象リスト３０の一例を示す図である。
【図７】表示装置１の表示処理を示すフローチャートである。
【図８】リスト生成部１９のリスト生成処理を示すフローチャートである。
【図９】表示装置１のリンク用表示対象リスト３０の表示条件を説明するための図である。
【図１０】変形例に係る表示装置において、リンク用表示対象リスト３０が表示されている起点ページから他のウェブページへ遷移したときの様子を示す図である。
【図１１】ページ内リンクを用いた表示処理を説明するための図である。
【発明を実施するための形態】
【００１０】
以下、本発明に係る表示装置の実施の形態としての携帯電話機について図面を参照して説明する。なお、各図において、共通する部分には同一の符号を付する。
≪実施の形態≫
＜構成＞
まず、携帯電話機１０００の構成について図１を参照して説明する。
【００１１】
図１は、実施の形態に係る携帯電話機１０００の機能構成図である。
携帯電話機１０００は、ウェブページを表示することが可能な携帯電話機であり、図１に示すように、表示装置１および通信部５００を備える。
通信部５００は、通信ネットワークを介して、図示しないウェブサーバからＨＴＭＬ情報（ウェブページ定義情報）５０を受信するものである。通信部５００は、アンテナを介して基地局との間で電波の送受信を行う回路であり、受信信号を復調して情報取得部１１へ伝達する機能と、情報取得部１１から受領した送信信号を変調して送信する機能を有する。
【００１２】
表示装置１は、情報取得部１１、入力部１２、表示部１３、記憶部１４および制御演算部２０を備える。
情報取得部１１は、ＨＴＭＬ情報５０を取得するものである。ここでは、情報取得部１１は、通信部５００が受信したＨＴＭＬ情報５０を取得する。また、情報取得部１１は、取得したＨＴＭＬ情報５０を表示制御部１７へ渡す。
【００１３】
入力部１２は、ユーザが指示を入力するものであり、例えば、静電容量方式のタッチセンサ等である。
表示部１３は、制御演算部２０または表示制御部１７からの指示を受けてウェブページを表示するためのものであり、例えば、ＬＣＤ（Liquid Crystal Display）により構成される。また、表示部１３は、前述したように、ウェブブラウザ等のアプリケーション・ソフトウェアにより情報を表示する第１表示領域１０１および第２表示領域１０２を有する。
【００１４】
記憶部１４は、リンク用表示対象リスト３０および語句情報４０を記憶するメモリ領域である。
制御演算部２０は、表示装置１の各機能部を制御するものであり、表示制御部１７、受付部１８およびリスト生成部１９を備える。なお、制御演算部２０は、プロセッサおよびメモリを含んで構成されており、制御演算部２０の各機能部は、メモリに記憶されているプログラムをプロセッサが実行することにより実現される。
【００１５】
表示制御部１７は、表示部１３におけるウェブページの表示を制御するものである。表示制御部１７は、情報取得部１１からＨＴＭＬ情報５０を受け取り、このＨＴＭＬ情報５０の解析を行う。この解析の結果、表示制御部１７は、表示位置関係情報５１（図５参照）を生成し、表示部１３の第１表示領域１０１（図２参照）にウェブページを表示させる。また、表示制御部１７は、リンク用表示対象リスト３０を表示および非表示にする条件を保持し、これらの条件を満足するか否かを判断する。表示制御部１７は、表示条件を満足する場合は、表示部１３に第２表示領域１０２（図３参照）を生成し、この第２表示領域１０２にリンク用表示対象リスト３０を表示させ、非表示条件を満足する場合は、第２表示領域１０２を消去する。すなわち、リンク用表示対象リスト３０も消去される。
【００１６】
受付部１８は、入力部１２からユーザの指示を受け付け、表示制御部１７へ渡すものである。ユーザの指示は、リンク操作、ウェブブラウザの戻る機能を実行する操作、スクロール操作等である。また、受付部１８は、これらの操作を受け付けた旨や、ウェブページを表示する要求であるウェブページ表示要求およびスクロール行数等を表示制御部１７に渡す。
【００１７】
リスト生成部１９は、表示制御部１７がＨＴＭＬ情報５０を解析した結果生成する表示位置関係情報５１（図５参照）を参照して、リンクが設定されている表示対象を所定のアルゴリズム（詳細は後述）を用いて抽出し、リンク用表示対象リスト３０を生成するものである。また、リスト生成部１９は、表示位置関係情報５１を参照して、抽出したリンクが設定されている表示対象が第１表示領域１０１に表示されているか否かを判断し、第１表示領域１０１に表示されるものを除外して、リンク用表示対象リスト３０を生成する。
＜概要＞
図２は、実施の形態に係る携帯電話機（携帯端末）１０００が表示するウェブページの一例を示す図である。
【００１８】
図２に示すように、第１表示領域１０１は、携帯電話機１０００のウェブブラウザがウェブページを表示する領域であり、実線で示している。この第１表示領域１０１は、携帯電話機１０００の表示部で表示可能な最大のサイズになるよう予め設定されているものとする。また、第１表示領域１０１は、４００×５００ピクセルの大きさで固定されているものとする。
【００１９】
ウェブページＡ１００は、文字情報や画像情報等から構成されるウェブページであり、点線で示している。また、ウェブページＡ１００は、他のウェブページへ遷移するためのリンクを含んでおり、この例では、「ウェブページＢへのリンク」１００ｂ、「ウェブページＣへのリンク」１００ｃ、…  、「ウェブページＧへのリンク」１００ｇを含んでいる。ウェブページＡ１００は、ウェブページの記述言語であるＨＴＭＬ（HyperText Markup Language）により記述され、４００（水平）×１０００（垂直）ピクセルの大きさであるものとする。なお、本明細書において、表示対象とは、ウェブページに表示される文字情報や画像情報等をいう。リンクが設定されている表示対象とは、リンク先のＵＲＬ（Uniform Resource Locator）とリンク先のウェブページへ遷移するための操作機構と表示対象とが対応付けられた表示対象をいう。ユーザは、リンクが設定されている表示対象（以下、単に「リンク」ともいう。）を指でタップする等して、他のウェブページへ遷移する操作（以下、「リンク操作」という。）をすることができる。
【００２０】
図２に示すように、ウェブページＡ１００は、第１表示領域１０１にすべて表示されるわけではなく、第１表示領域１０１の範囲内のみ表示される。第１表示領域１０１の大きさよりも、ウェブページＡ１００の大きさが大きいため、ウェブページをスクロールすることができるようになる。ウェブページＡ１００をスクロールすると、ウェブページＡ１００が第１表示領域１０１に表示される部分を所定のピクセル分だけ下にずらすことができる。したがって、図２に例示する状態において、第１表示領域１０１に表示されていない、「ウェブページＥへのリンク」１００ｅ、「ウェブページＦへのリンク」１００ｆおよび「ウェブページＧへのリンク」１００ｇを、第１表示領域１０１に表示させることができる。ウェブページをスクロールする操作（以下、「スクロール操作」という。）は、例えば、スクロールする操作に対応付けられたキーを押下することや、指で画面をフリックすること等により行う。
【００２１】
図３は、実施の形態に係る携帯電話機１０００の第２表示領域１０２の一例を示す図である。
図３に示すように、第２表示領域１０２は、スクロール操作を行う必要があるというユーザの手間を軽減するためのもので、第１表示領域１０１に表示されていないリンクを表示する領域である。この第２表示領域１０２は、この実施の形態では、動的に生成される。例えば、いわゆるウィンドウである。この例では、第１表示領域１０１に表示されていない「ウェブページＥへのリンク」１００ｅ、「ウェブページＦへのリンク」１００ｆおよび「ウェブページＧへのリンク」１００ｇが、第２表示領域１０２に表示される。これにより、リンクを早く参照したいユーザにとって、スクロール操作を行う手間を軽減することができる。
［ＨＴＭＬ情報（ウェブページ定義情報）５０］
次に、ＨＴＭＬ情報（ウェブページ定義情報）５０について説明する。
【００２２】
ウェブページ定義情報とは、ウェブページの構造を定義する情報である。この実施の形態では、ウェブページ定義情報は、例えば、ＨＴＭＬ情報５０である。
図４は、実施の形態に係る表示装置１が表示するウェブページＡ１００のＨＴＭＬ情報５０の一例を示す図である。
ＨＴＭＬ情報５０は、図４に示すように、ＨＴＭＬの規則に従って記述されたテキストデータである。＜ｈ＞要素５０ａは、見出しを定義するものである。＜ａ＞要素５０ｂ，５０ｃ，５０ｄ，５０ｅ，５０ｆおよび５０ｇは、リンクを定義するものである。その他、段落を定義する＜ｐ＞要素、画像を定義する＜ｉｍｇ＞要素等がある。なお、説明の便宜上、ＨＴＭＬ情報５０は、主要な構造のみを記載している。
［表示位置関係情報５１］
次に、表示位置関係情報５１について説明する。
【００２３】
図５は、実施の形態に係る表示装置１の表示制御部１７がＨＴＭＬ情報５０（図４参照）の構文解析の結果生成する表示位置関係情報５１の一例を示す図である。
表示制御部１７は、ＨＴＭＬ情報５０の解析を行って、表示位置関係情報５１を生成する。
表示位置関係情報５１は、ウェブページの構造の要素とその位置情報等を対応させたものであり、ウェブページを表示する際に用いられるものである。表示位置関係情報５１の各データは、ＨＴＭＬ情報５０に含まれており、ウェブページにおける表示対象の表示位置関係を定義している。
【００２４】
表示位置関係情報５１は、図５に示すように、要素５１１と、属性５１２と、位置情報５１３と、サイズ情報５１４と、文字情報５１５とを対応付けて構成される情報である。
要素５１１は、ウェブページの構造の要素を識別する情報である。なお、以下、例えば見出しを識別する情報を「見出し」と表記する。属性５１２は、要素５１１に付随する情報である。例えば、要素５１１が「リンク」である行の属性５１２は、リンク先を示すＵＲＬである。位置情報５１３は、ウェブページＡ１００の左上を原点として水平方向右向きにｘ軸を、垂直方向下向きにｙ軸をとった場合の各要素のｘｙ座標を示す情報であり、単位はピクセルである。例えば、要素５１１が「段落」である行の位置情報５１３は、「（１０，３０）」であり、ｘ座標が「１０」で、ｙ座標が「３０」である。サイズ情報５１４は、要素が占めるウェブページ上の領域の大きさを示す情報である。なお、要素５１１が「表示部分」である行のサイズ情報５１４は、ウェブブラウザがウェブページを表示する領域、つまり、第１表示領域１０１の大きさを示す情報である。ここでは、第１表示領域１０１の大きさは、４００×５００ピクセルで固定されているものとする。また、ウェブページＡ１００の大きさが４００×１０００ピクセルの大きさであり、第１表示領域１０１よりも大きいため、ウェブページＡ１００をスクロールすることができるようになる。なお、スクロール操作が行われると、要素５１１が「表示部分」である行の位置情報５１３の値が、スクロールされたピクセル分だけ変化する。文字情報５１５は、ウェブページに表示されるテキストデータである。
【００２５】
リスト生成部１９は、この表示位置関係情報５１により、リンクが設定されている表示対象が第１表示領域１０１に表示されているか否かを判断する。例えば、「ウェブページＧへのリンク」の位置情報５１３は、「（１０，８００）」であり、要素５１１「表示部分」の位置情報５１３「（０，０）」およびサイズ情報５１４「４００×５００」を考慮すると、「ウェブページＧへのリンク」は、第１表示領域１０１に表示されていないと判断される。なお、ウェブページＡ１００のスクロール操作が行われると、要素５１１「表示部分」の位置情報５１３の値は、例えば、「（０，４００）」となる。このとき、第１表示領域１０１は、左上の座標が（０，４００）であり、右下の座標が（４００，９００）であるため、「ウェブページＧへのリンク」は、第１表示領域１０１に表示されていると判断される。同時に、図５に例示する「ウェブページＢへのリンク」「ウェブページCへのリンク」は、その位置情報５１３およびサイズ情報５１４より、第１表示領域１０１に表示されていないと判断される。
［リンク用表示対象リスト３０］
次に、リンク用表示対象リスト３０について説明する。
【００２６】
図６は、実施の形態に係る表示装置１のリスト生成部１９が生成するリンク用表示対象リスト３０の一例を示す図である。
リンク用表示対象リスト３０は、ＨＴＭＬ情報５０に存在するリンクが設定されている表示対象のうち、第１表示領域１０１に表示されていないものを集めたものである。リスト生成部１９は、表示位置関係情報５１（図５参照）を参照し、「ウェブページＥへのリンク」、「ウェブページＦへのリンク」および「ウェブページＧへのリンク」が、第１表示領域１０１に表示されていないと判断し、これらをそれぞれ「ウェブページＥへのリンク」１００ｅ、「ウェブページＦへのリンク」１００ｆおよび「ウェブページＧへのリンク」１００ｇとして、リンク用表示対象リスト３０を生成する。このリンク用表示対象リスト３０は、記憶部１４に記憶される。
［語句情報４０］
次に、語句情報４０について説明する。
【００２７】
語句情報４０は、リンク用表示対象リスト３０を生成する際に用いられるものであり、リスト生成部１９は、リンクが設定されている表示対象の文字情報の中に、この語句情報４０に登録されている語句を含むリンクが設定されている表示対象のみをリンク用表示対象リスト３０として生成する。登録されている語句は、リンク用表示対象リスト３０として第２表示領域１０２に表示する価値が高い語句であり、例えば、固有名詞、キーワード等である。これらの語句は、予め外部のサーバに登録されており、携帯電話機１０００は、このサーバから新しい情報を取り込んで、語句情報４０とし、記憶部１４に記憶する。
＜動作＞
以下、上記構成を備え、上記データを取り扱う表示装置１の動作について、図７（構成は適宜図１）を参照して説明する。
【００２８】
図７は、実施の形態に係る表示装置１の表示処理を示すフローチャートである。
この処理は、受付部１８がユーザからの指示により、ウェブページ表示要求を受け付けた時に開始される。
図７のフローチャートに示すように、ステップＳ１１において、情報取得部１１は、ＨＴＭＬ情報５０を取得する。
【００２９】
ステップＳ１２において、表示制御部１７は、ウェブページＡ１００を第１表示領域１０１に表示させる。
ステップＳ１３において、表示制御部１７は、ウェブページＡが起点ページとして登録されているか否かを判断する。起点ページとは、リンク用表示対象リストを生成する対象であるウェブページである。ユーザは、予め起点ページのＵＲＬを登録しておくものとする。
【００３０】
ウェブページＡが起点ページとして登録されている場合は（ステップＳ１３・Ｙｅｓ）、ステップＳ１４において、表示制御部１７は、リスト表示設定値がＯＮであるか否かを判断する。リスト表示設定値とは、リンク用表示対象リストを表示するリンク用表示対象リスト表示モードを開始するか否かを決定するためのフラグであり、ユーザにより予め設定されている。リスト表示設定値がＯＮである場合は、リンク用表示対象リストを表示するリンク用表示対象リスト表示モードを開始する。リスト表示設定値がＯＦＦである場合は、常にリンク用表示対象リストを表示しない。
【００３１】
リスト表示設定値がＯＮである場合は（ステップＳ１４・Ｙｅｓ）、ステップＳ１５において、制御演算部２０は、終了操作を受け付けたか否かを判断する。終了操作とは、ウェブブラウザを終了する操作やウェブページを表示しているウィンドウを閉じる操作をいう。
終了操作を受け付けていない場合は（ステップＳ１５・Ｎｏ）、ステップＳ１６において、表示制御部１７は、リンク用表示対象リストの表示条件が満足されているか否かを判断する。ここで、表示条件とは、ユーザにとって第２表示領域１０２にリンク用表示対象リストが表示されれば有用であるような状況を判断するための条件である。例えば、ユーザが目的のリンクを探しているという状況であるか否かを判断するための条件を設定する。ここでは、表示条件は、起点ページから他のウェブページへ遷移してから３０秒の間に、起点ページに２回以上戻ったこととする。このようにすることで、ユーザが起点ページにおける他のリンクを探している状況であると判断する。
【００３２】
表示条件が満足されている場合は（ステップＳ１６・Ｙｅｓ）、ステップＳ１７において、リスト生成部１９は、リスト生成処理を行い、リンク用表示対象リスト３０を生成する。
ステップＳ１８において、表示制御部１７は、第２表示領域１０２を生成する。
ステップＳ１９において、表示制御部１７は、リンク用表示対象リスト３０を第２表示領域１０２に表示する。
【００３３】
ステップＳ２０において、表示制御部１７は、起点ページから他のウェブページに遷移したか否かを判断する。
他のウェブページに遷移していない場合は（ステップＳ２０・Ｎｏ）、表示装置１は、ステップＳ１５に戻って処理を続ける。他のウェブページに遷移した場合は（ステップＳ２０・Ｙｅｓ）、ステップＳ２２において、表示制御部１７は、ステップＳ１８で生成した第２表示領域１０２を消去する。すなわち、第２表示領域１０２に表示されていたリンク用表示対象リスト３０も消去される。
【００３４】
一方、ステップＳ１６において、表示条件が満足されていない場合は（ステップＳ１６・Ｎｏ）、ステップＳ２１において、表示制御部１７は、非表示条件が満足されているか否かを判断する。ここで、非表示条件とは、第２表示領域１０２が生成されてリンク用表示対象リストが表示されればユーザにとって問題があるような状況を判断するための条件である。例えば、第１表示領域１０１の一部を隠すように第２表示領域１０２が生成されると、第１表示領域１０１に表示された表示対象をユーザが閲覧するときに問題がある。よって、第１表示領域１０１に表示された表示対象をユーザが閲覧しているという状況であるか否かを判断するための条件を設定する。ここでは、非表示条件は、リンク用表示対象リスト３０を表示してから１０秒の間に、他のウェブページへの遷移が１回もされないこととする。このようにすることで、第１表示領域１０１に表示された表示対象をユーザが閲覧している状況であると判断する。
【００３５】
非表示条件が満足されている場合は（ステップＳ２１・Ｙｅｓ）、ステップＳ２２において、表示制御部１７は、第２表示領域１０２を消去する。すなわち、表示制御部１７は、リンク用表示対象リスト３０が第２表示領域１０２に表示されているときは、第２表示領域を消去し、第２表示領域１０２が生成されていないときは、その状態を維持する。その後、表示装置１は、ステップＳ１５に戻って処理を続ける。
【００３６】
なお、表示条件および非表示条件を満足しない場合は（ステップＳ１６・Ｎｏ→ステップＳ２１・Ｎｏ）、表示装置１は、ステップＳ１５、ステップＳ１６およびステップＳ２１の判断を繰り返し行う。
また、（ｉ）ステップＳ１３において、起点ページとして登録されていない場合（ステップＳ１３・Ｎｏ）、（ｉｉ）ステップＳ１４において、リスト表示設定値がＯＮである場合（ステップＳ１４・Ｎｏ）および（ｉｉｉ）ステップＳ１５において、終了操作を受け付けた場合（ステップＳ１５・Ｙｅｓ）は、表示装置１は、表示処理を終了する。
【００３７】
次に、図８を参照して、リスト生成処理について説明する。
図８は、リスト生成部１９のリスト生成処理を示すフローチャートである。
ステップＳ７１において、リスト生成部１９は、表示位置関係情報５１（図５参照）を参照して、要素５１１が「リンク」である行をすべて抽出する。
ステップＳ７２において、リスト生成部１９は、表示位置関係情報５１（図５参照）を参照して、抽出した行ごとに、リンクが設定されている表示対象が第１表示領域１０１に表示されているか否かを判断する。
【００３８】
リンクが設定されている表示対象が第１表示領域１０１に表示されていない場合は（ステップＳ７２・Ｎｏ）、ステップＳ７３において、リスト生成部１９は、リンクが設定されている表示対象をリンク用表示対象リストに入れる。
一方、リンクが設定されている表示対象が第１表示領域１０１に表示されている場合は（ステップＳ７２・Ｙｅｓ）、リスト生成部１９は、当該リンクが設定されている表示対象をリンク用表示対象リストには入れない。
【００３９】
リスト生成部１９は、ステップＳ７２の判断を抽出した行ごとに繰り返し行う。
ステップＳ７４において、リスト生成部１９は、リンク用表示対象リスト３０を記憶部１４に記憶させ、リスト生成処理を終了させる。
次に、図９を参照して、ウェブページの遷移とリンク用表示対象リスト３０が表示される様子について説明する。
【００４０】
図９は、実施の形態に係る表示装置１のリンク用表示対象リスト３０の表示条件を説明するための図である。
まず、第１表示領域１０１が起点ページであるウェブページＡの一部を表示しているとする。「Ｂ＿＿＿＿  」は、ウェブページＢへのリンクを表している。表示条件は、起点ページから他のウェブページへ遷移してから３０秒の間に、起点ページに２回以上戻ったこととする。
【００４１】
ユーザは、ウェブページＢへのリンクをタップし（ステップＳ３１）、表示制御部１７は、第１表示領域１０１にウェブページＢを表示させるとともに、計時を開始する。次に、ユーザは、ウェブブラウザの戻る機能を実行し（ステップＳ３２）、表示制御部１７は、第１表示領域１０１にウェブページＡを表示させるとともに、ステップＳ３１の遷移から起点ページに戻った回数を「１」とする。次に、ユーザは、ウェブページＣへのリンクをタップし（ステップＳ３３）、表示制御部１７は、第１表示領域１０１にウェブページＣを表示させる。次に、ユーザは、ウェブブラウザの戻る機能を実行し（ステップＳ３４）、表示制御部１７は、第１表示領域１０１にウェブページＡを表示させるとともに、ステップＳ３１の遷移から起点ページに戻った回数を「２」とする。このとき、表示制御部１７は、ステップＳ３１の遷移から３０秒を経過していなければ、第２表示領域１０２を生成し、ウェブページＡから生成したリンク用表示対象リスト３０を当該第２表示領域１０２に表示させる。続いて、ユーザは、リンク用表示対象リスト３０に含まれるウェブページＦへのリンクをタップし（ステップＳ３５）、表示制御部１７は、第１表示領域１０１にウェブページＦを表示させるとともに、第２表示領域１０２を消去する。ユーザは、ウェブブラウザの戻る機能を実行し（ステップＳ３６）、表示制御部１７は、第１表示領域１０１にウェブページＡを表示させるとともに、ステップＳ３３の遷移から３０秒を経過していなければ、第２表示領域１０２を生成し、ウェブページＡから生成したリンク用表示対象リスト３０を当該第２表示領域１０２に表示させる。
【００４２】
以上の動作により、ユーザがウェブページを閲覧する際、ウェブページに設定されているリンクが機器に表示されていない場合でも、そのリンク先のウェブページへ遷移する操作の手間を軽減することができる。例えば、タイトルにリンクが設定されたニュース記事を集めたポータルサイト等では、別のニュース記事により早くアクセスすることができる。
【００４３】
また、表示条件または非表示条件を設定することで、第１表示領域１０１に表示された表示対象をユーザが閲覧するときに、生成された第２表示領域１０２が第１表示領域１０１に表示された表示対象を隠してしまうという問題を回避できる。
≪変形例≫
上述の実施の形態では、リンク用表示対象リスト３０が表示されている起点ページから他のウェブページへ遷移したときに、第２表示領域１０２を消去してリンク用表示対象リスト３０を非表示にすることを一例として説明したが、以下では、リンク用表示対象リスト３０が表示されている起点ページから他のウェブページへ遷移したときにおいても、起点ページのリンク用表示対象リスト３０を表示し続けるように替えた一変形例を簡単に説明する。
【００４４】
図１０は、変形例に係る表示装置において、リンク用表示対象リストが表示されている起点ページから他のウェブページへ遷移したときの様子を示す図である。
変形例に係る表示装置は、上述の表示装置１の表示制御部１７およびリスト生成部１９の機能を変更したものである。
リスト生成部１９Ａは、表示位置関係情報５１を参照して、抽出したリンクが設定されている表示対象が第１表示領域１０１に表示されているか否かにかかわらず、リンク用表示対象リスト３１を生成するものである。
【００４５】
表示制御部１７Ａは、リンク用表示対象リスト３１が表示されている起点ページから他のウェブページへ遷移したときにおいても、起点ページのリンク用表示対象リスト３１を表示し続けるものである。
図１０左図に示すように、リンク用表示対象リスト３１には、第１表示領域１０１に表示されている「ウェブページＢへのリンク」、「ウェブページＣへのリンク」および「ウェブページＤへのリンク」が含まれている。また、表示制御部１７Ａは、起点ページであるウェブページＡからウェブページＢへ遷移したときは、ウェブページＢを第１表示領域１０１に表示させるとともに、ウェブページＡのリンク用表示対象リスト３１を第２表示領域１０２に表示させる（右図）。
【００４６】
これにより、ユーザは、ウェブページＢからウェブブラウザの戻る機能を実行せずとも、ウェブページＡに設定されたリンクを参照することができ、ウェブページＡに設定されたリンク先のウェブページへより早く遷移することができる。例えば、タイトルにリンクが設定されたニュース記事を集めたポータルサイト等では、別のニュース記事により早くアクセスすることができる。
≪補足≫
以上、本発明に係る表示装置を、実施の形態および変形例に基づいて説明したが、本発明の趣旨を逸脱しない範囲で変更することができる。例えば、以下のように変形することも可能であり、本発明は上述した実施の形態および変形例で示した通りの表示装置に限らない。
（１）実施の形態および変形例では、リンク用表示対象リスト３０に含まれるリンクをタップすると、他のウェブページへ遷移するとして説明したが、これらに限るものではない。例えば、リンク用表示対象リスト３０に含まれるリンクをタップすると、他のウェブページへ遷移するのではなく、起点ページの当該リンクの表示位置へジャンプするようにしてもよい。
【００４７】
例えば図１１に示すように、ユーザが第２表示領域１０２に表示された「ウェブページＥへのリンク」１００ｅをタップすると（左図）、起点ページであるウェブページＡの「ウェブページＥへのリンク」１００ｅの表示位置へジャンプする（右図）。
これにより、ユーザは、第１表示領域１０１に表示された「ウェブページＥへのリンク」１００ｅの周辺の情報を参照することができ、「ウェブページＥへのリンク」１００ｅがどのようなリンクであるかを確認することができる。
（２）実施の形態および変形例では、リンク用表示対象リスト３０およびリンク用表示対象リスト３１に含まれるリンクは、起点ページに設定されているリンクをすべて抽出するように説明したが、記憶部１４に記憶された語句情報４０を用いて、この語句情報４０に登録された語句を含むリンクのみを抽出するようにしてもよい。また、所定の文字サイズ以上の文字サイズであるリンクのみを抽出するようにしてもよい。
【００４８】
これにより、ユーザにとって重要なリンクのみをリンク用表示対象リストとすることができる。
また、要素内容のすべての文字情報をリンク用表示対象リスト３０およびリンク用表示対象リスト３１に表示するように説明したが、要素内容のすべての文字情報ではなく、語句情報４０に登録された語句を優先して表示するようにしてもよい。例えば、語句情報４０に「ウェブページＥ」が登録されており、「へ」、「の」および「リンク」が登録されていない場合、「ウェブページＥへのリンク」１００ｅについては、「ウェブページＥ」のみをリンク用表示対象リスト３０に表示することとしてもよい。また、「ウェブページＥへのリンク」１００ｅのうち、文字情報の先頭から所定の文字数を切り出して、例えば、「ウェブページＥへの・・」のようにリンク用表示対象リスト３０に表示してもよい。
【００４９】
これにより、表示領域が限られた第２表示領域においても、リンクを適切に表示することができる。
あるいは、「ウェブページＥへのリンク」１００ｅの周辺の表示対象も同時に抽出し、この表示対象を、「ウェブページＥへのリンク」とともに、リンク用表示対象リスト３０に表示することとしてもよい。例えば、「ウェブページＥへのリンク」１００ｅの１行前の文字情報や、１行後の文字情報等を同時に抽出する。
【００５０】
これにより、ユーザは、「ウェブページＥへのリンク」１００ｅの周辺の情報を参照することができ、「ウェブページＥへのリンク」１００ｅがどのようなリンクであるかを確認することができる。
（３）実施の形態および変形例では、第２表示領域１０２は、いわゆるウィンドウであるとして説明したが、第２表示領域１０２は、ユーザが第１表示領域１０１に表示されていないリンクを参照するという目的に適う形態であれば、位置や形状は限定されない。例えば、２画面を有するような機器においては、第１画面を第１表示領域１０１とし、第２画面を第２表示領域１０２としてもよい。この場合、リンク用表示対象リストを表示しないときは、第２表示領域１０２には第１表示領域１０１に表示されるウェブページの続き等を表示すればよい。また、第２表示領域１０２は、第１表示領域１０１の空いたスペースに埋め込んだ領域としてもよい。
（４）実施の形態および変形例では、携帯電話機１０００が通信機能を持つ通信部５００を備えるように説明したが、表示装置１が通信機能を備え、通信ネットワークを介して、ＨＴＭＬ情報５０を取得することとしてもよい。
（５）実施の形態および変形例では、ユーザが起点ページを予め登録することとして説明したが、ユーザが何度も戻ったウェブページを検出して、当該ウェブページを起点ページと判断し、当該ウェブページからリンク用表示対象リストを生成するようにしてもよい。
（６）実施の形態および変形例では、リンク用表示対象リスト３０の表示条件は、起点ページから他のウェブページへ遷移してから３０秒の間に、起点ページに２回以上戻ったこととして説明した。この他に例えば、最初にスクロール操作を実行してから５秒の間に、さらに２０行分以上スクロール操作が実行されたこととしてもよい。このようにすることでも、ユーザが起点ページにおける他のリンクを探している状況であると判断できる。
【００５１】
なお、ユーザの要求時に随時、リンク用表示対象リストを表示することとしてもよい。
（７）実施の形態および変形例では、ユーザは、リンクを指でタップして、他のウェブページへ遷移する操作をすることができるとして説明したが、リンクをマウスでクリックすることや、リンクに対応付けられたキーを押下すること等して、他のウェブページへ遷移する操作をすることができることとしてもよい。
（８）実施の形態および変形例に係る表示装置１に、上記（１）〜（７）の一部または全部の変形を組み合わせて適用してもよい。
（９）以下、さらに本発明の一実施形態に係る表示装置の構成およびその変形例と各効果について説明する。
（ａ）本発明の一実施形態に係る表示装置は、ウェブページを表示するための表示部と、前記ウェブページにおけるリンクが設定されている表示対象の表示位置を示すウェブページ定義情報を取得する情報取得部と、前記ウェブページ定義情報から、前記表示対象のリンク用表示対象リストを生成するリスト生成部と、前記表示部に表示領域を生成し、前記リンク用表示対象リストを当該表示領域に表示させる表示制御部と、を備える。
【００５２】
この表示装置は、ウェブページに設定されたリンクを抽出して、まとめて表示するので、ユーザがウェブページを閲覧する際、所望のウェブページへ遷移するまでの操作の手間を軽減することができる。
（ｂ）また、前記リンク用表示対象リストは、リンクが設定されている表示対象であって、前記ウェブページのうち前記表示部に表示されていない部分に設定されている表示対象を集めたものであることとしてもよい。
【００５３】
この表示装置は、第１表示領域に表示されていないリンクを第２表示領域に表示するので、ユーザがウェブページを閲覧する際、所望のウェブページが表示部に表示されていない場合に、所望のウェブページへ遷移するまでの操作の手間を軽減することができる。
（ｃ）また、ウェブページ間を遷移する操作を受け付ける第１の受付部を備え、前記表示制御部は、リンク先のウェブページへ遷移する操作と当該操作の後に再びリンク元のウェブページへ遷移する操作との組を所定の時間内に所定の回数以上前記受付部が受け付けたことを条件として、前記表示領域に前記リンク用表示対象リストを表示させることとしてもよい。
【００５４】
この表示装置は、ユーザが他のウェブページへ遷移し、起点ページに何度も戻っていることを検出して、ユーザが目的のリンクを探しているという状況であると判断したことを条件として第２表示領域を生成してリンク用表示対象リストを表示させるので、リンクを早く参照したいというユーザの要望により適切に応えることができる。また、第１表示領域に表示された表示対象をユーザが閲覧するときに、生成された第２表示領域が第１表示領域に表示された表示対象を隠してしまうという問題を回避できる。
（ｄ）また、ウェブページをスクロールする操作を受け付ける第２の受付部を備え、前記表示制御部は、所定の時間内に所定の行数以上ウェブページをスクロールする操作を前記受付部が受け付けたことを条件として、前記表示領域に前記リンク用表示対象リストを表示させることとしてもよい。
【００５５】
この表示装置は、ユーザが起点ページのスクロール操作を連続して行っていることを検出して、ユーザが目的のリンクを探しているという状況であると判断したことを条件として第２表示領域を生成してリンク用表示対象リストを表示させるので、リンクを早く参照したいというユーザの要望により適切に応えることができる。また、第１表示領域に表示された表示対象をユーザが閲覧するときに、生成された第２表示領域が第１表示領域に表示された表示対象を隠してしまうという問題を回避できる。
（ｅ）また、前記表示制御部は、ウェブページ間を遷移する操作を所定の時間内に所定の回数以下しか前記受付部が受け付けなかったことを条件として、前記表示領域を消去することとしてもよい。
【００５６】
この表示装置は、ユーザが起点ページにおいて所定の時間、他のウェブページへ遷移していないことを検出して、第１表示領域に表示された表示対象をユーザが閲覧しているという状況であると判断したことを条件として第２表示領域を消去するので、第１表示領域に表示された表示対象を閲覧したいというユーザの要望により適切に応えることができる。すなわち、第２表示領域が第１表示領域に重畳して生成されるときは、第２表示領域が消去されることで、第１表示領域を快適に閲覧することができる。
（ｆ）また、ウェブページを表示するための表示部と、前記ウェブページにおけるリンクが設定されている表示対象の表示位置を示すウェブページ定義情報を取得する情報取得部と、前記ウェブページ定義情報からリンクが設定されている表示対象のリンク用表示対象リストを生成するリスト生成部と、前記表示部に表示領域を生成し、前記リンク用表示対象リストを当該表示領域に表示させ、リンク先のウェブページへ遷移する操作を前記受付部が受け付けた場合に、リンク元のウェブページから生成した前記リンク用表示対象リストを前記表示領域に表示させることとしてもよい。
【００５７】
この表示装置は、起点ページのリンク用表示対象リストが表示された場合に、ユーザが他のウェブページへ遷移したときにおいても、起点ページから生成したリンク用表示対象リストがそのまま表示されるので、ユーザは、ウェブブラウザの戻る機能を実行せずとも、起点ページに設定されたリンクを参照することができ、起点ページに設定されたリンク先のウェブページへより早く遷移することができる。
（ｇ）また、所定の語句を記憶する記憶部を備え、前記リスト生成部は、リンクが設定されている表示対象のうち、前記記憶部に記憶された所定の語句を含む表示対象を抽出して前記リンク用表示対象リストを生成することとしてもよい。
【００５８】
この表示装置によれば、ユーザにとって重要なリンクのみをリンク用表示対象リストとするため、ユーザは、効率よく所望のリンクを参照することができる。
（ｈ）また、前記リスト生成部は、リンクが設定されている表示対象のうち、表示文字サイズが所定のサイズ以上の表示対象を抽出して前記リンク用表示対象リストを生成することとしてもよい。
【００５９】
この表示装置によれば、ユーザにとって重要なリンクのみをリンク用表示対象リストとするため、ユーザは、効率よく所望のリンクを参照することができる。
（１０）表示制御部１７、受付部１８およびリスト生成部１９は、表示装置１におけるコンピュータを当該機能として機能させる表示プログラムによって、動作する。また、実施の形態および変形例において説明した各機能部は、ＩＣ（Integrated Circuit）やＬＳＩ（Large Scale Integration）等のハードウェア回路で実現してもよい。
【００６０】
また、表示プログラムは、各種記録媒体または通信路を通じて流通等される。
（１１）実施の形態では、フローチャートのステップは、記載された順序に沿って時系列的に行われる処理の例を示したが、必ずしも時系列的に処理されなくとも、並列的あるいは個別実行される処理をも含むものである。
【産業上の利用可能性】
【００６１】
本発明に係る表示装置は、所望のウェブページ、すなわち、リンク先のウェブページへ遷移するまでの操作の手間を軽減するものであり、ウェブページの表示を制御する表示装置等に有用である。
【符号の説明】
【００６２】
１      表示装置
１１    情報取得部
１２    入力部
１３    表示部
１４    記憶部
１７    表示制御部
１８    受付部
１９    リスト生成部
３０，３１    リンク用表示対象リスト
４０    語句情報
５０    ＨＴＭＬ情報（ウェブページ定義情報）
５１    表示位置関係情報
１０１  第１表示領域
１０２  第２表示領域
１０００  携帯電話機（携帯端末）
【図１】
0005849003.tif 000002
【図２】
0005849003.tif 000003
【図３】
0005849003.tif 000004
【図４】
0005849003.tif 000005
【図５】
0005849003.tif 000006
【図６】
0005849003.tif 000007
【図７】
0005849003.tif 000008
【図８】
0005849003.tif 000009
【図９】
0005849003.tif 000010
【図１０】
0005849003.tif 000011
【図１１】
0005849003.tif 000012